(57)【要約】【課題】ＵＲＬやメールアドレス、電話番号等の文字情報を携帯用端末に容易にかつ正確に入力することができ、さらなる広告宣伝効果を高めることができるポケット型ティッシュ及びデータ取得方法並びに通信方法を提供する。【解決手段】ティッシュペーパーと、折り畳まれた複数枚のティッシュペーパーを積層して収納する袋体２とを有する広告宣伝用のポケット型ティッシュ１において、ポケット型ティッシュ１は、広告を表示する表紙部（広告表示部）７と、２次元バーコード９とを有する。この２次元バーコード９は、広告に関連するホームページのＩＰアドレス若しくはＵＲＬ、メールアドレス、電話番号、広告内容を示すテキストデータのうちの少なくとも１つの文字情報を含む。【選択図】      図２
2005287953.tif 000002
【特許請求の範囲】
【請求項１】
ティッシュペーパーと、折り畳まれた複数枚の前記ティッシュペーパーを積層して収納する袋体とを有する広告宣伝用のポケット型ティッシュにおいて、
前記ポケット型ティッシュは、広告を表示する広告表示部と、光学的に読み取り可能なコードとを有し、当該コードは、前記広告に関連するホームページのＩＰアドレス若しくはＵＲＬ、メールアドレス、電話番号、広告内容を示すテキストデータのうちの少なくとも１つの文字情報を含むことを特徴とするポケット型ティッシュ。
【請求項２】
前記コードはバーコードであることを特徴とする請求項１に記載のポケット型ティッシュ。
【請求項３】
前記バーコードは２次元バーコードであることを特徴とする請求項２に記載のポケット型ティッシュ。
【請求項４】
前記ポケット型ティッシュは、前記袋体に収容される広告部材を有し、前記コードは当該広告部材に付されていることを特徴とする請求項１乃至請求項３のいずれか１項に記載のポケット型ティッシュ。
【請求項５】
前記袋体は内部が透視できる窓部を備え、当該袋体内に収容された広告部材が、前記窓部を介して外部から前記コードが読取可能に構成されたことを特徴とする請求項４に記載のポケット型ティッシュ。
【請求項６】
前記コードは、前記袋体に付されていることを特徴とする請求項１乃至請求項３のいずれか１項に記載のポケット型ティッシュ。
【請求項７】
バーコードの画像を取得するデジタルカメラ部と、当該デジタルカメラ部で取得されたバーコードの画像を信号処理して文字情報を取得する取得部とを有する携帯通信端末を備え、
当該携帯通信端末によって、請求項２乃至請求項６のいずれか１項に記載のポケット型ティッシュに付された前記バーコードに記録された文字情報を前記携帯通信端末に取得することを特徴とするデータ取得方法。
【請求項８】
請求項７に記載のデータ取得方法において、ポケット型ティッシュに付された前記バーコードに記録された文字情報は、ＵＲＬ若しくはＩＰアドレスであり、前記携帯通信端末はインターネット接続手段を有し、
前記携帯通信端末が当該データ取得方法によって当該コードが記録する文字情報を取得された後に、当該取得された文字情報に基づいて前記インターネット接続手段で前記ＵＲＬ若しくはＩＰアドレスの指示するインターネットウェブサイトへ自動的に接続されることを特徴とする通信方法。
【請求項９】
前記携帯通信端末が、携帯電話機であることを特徴とする請求項８に記載の通信方法。
【発明の詳細な説明】
【技術分野】
【０００１】
本発明は、ポリプロピレン等で形成される薄い袋体の中に、折り畳まれた複数枚のティッシュペーパーを積み重ねて収納するポケット型ティッシュと、このポケット型ティッシュを利用したデータ取得方法並びに通信方法に関する。
【背景技術】
【０００２】
飲食店や美容院、マッサージ、遊技施設等の事業を営む上で種々の広告宣伝競争が行われている。例えば、飲食店であれば、お薦めメニューや割引クーポンを印刷したチラシを街頭で直接消費者に配布したり、チラシと共に試供品や粗品を利用して、道行く人の興味をそそるようにしているものもある。その中で、ポケット型ティッシュは、製造単価が安く、またティッシュペーパーは誰にでも需要のあるものであるため消費者に受け取って貰いやすく、広告用に配布されるケースが多い。
【０００３】
このポケット型ティッシュは、ポリプロピレン等を材質とした薄い半透明や透明の袋体の中に、ティッシュペーパーと共にチラシを収納したり、同様のチラシを袋体の表面に形成される外側ポケットに挿入したりして広く利用されている（特許文献１参照）。また、最近では、インターネットの急激な普及に伴い、携帯電話機やパソコンから広告主の開設するホームページへアクセスするためのＵＲＬやメールアドレス等を、ティッシュの袋体やチラシに種々の広告情報と併せて記載することも多い。
【特許文献１】登録実用新案第３０９３０５０号公報（請求項１、図１）
【発明の開示】
【発明が解決しようとする課題】
【０００４】
しかしながら、通常こういったＵＲＬやメールアドレスは、アルファベットと数字の組み合わせで構成されており文字数が多く、この長い文字情報を手作業で入力する作業は煩雑で手間がかかるという問題があった。特に、携帯電話機は「０〜９」、「＊」、「♯」の合計１２個の操作ボタンと、電源のＯＮやＯＦＦ、操作モードの切替え、カーソルの移動等を指示するいくつかの操作ボタンとの合計２０個程度の操作ボタンしか有していない。ひらがなやローマ字は、数字ボタン等の特定の操作ボタンに複数個ずつ割り当てられており、操作ボタンの押下回数に応じて選択文字が切り替えられるようになっている。このため、ＵＲＬやメールアドレスを携帯電話機に登録する際には、データの入力作業が極めて煩雑なものとなってしまう。よって、広告主の意図に反し、ティッシュにＵＲＬの記載があっても、わざわざ手作業で入力してまでホームページを見ようとする消費者は非常に小数であった。
【０００５】
また、仮にアクセスしようとした場合でも、文字と数字の組み合わせでは、例えばアルファベットの「ｌ（エル）」と数字の「１（イチ）」のように判別しにくいものもあり、長い文字情報を正確に入力することは困難であった。正しくＵＲＬの文字情報が入力されないと、所望のホームページにアクセスできないため、広告主と消費者の双方の要望に反し、十分な広告情報を提供することができなかった。
【０００６】
よって、上記の問題に鑑み、本発明の目的は、ＵＲＬやメールアドレス、電話番号等の文字情報を携帯用端末に容易にかつ正確に入力することができ、さらなる広告宣伝効果を高めることができるポケット型ティッシュ及びデータ取得方法並びに通信方法を提供することにある。
【課題を解決するための手段】
【０００７】
上記目的を達成するため、請求項１に係るポケット型ティッシュは、ティッシュペーパーと、折り畳まれた複数枚の前記ティッシュペーパーを積層して収納する袋体とを有する広告宣伝用のポケット型ティッシュにおいて、前記ポケット型ティッシュは、広告を表示する広告表示部と、光学的に読み取り可能なコードとを有し、当該コードは、前記広告に関連するホームページのＩＰアドレス若しくはＵＲＬ、メールアドレス、電話番号、広告内容を示すテキストデータのうちの少なくとも１つの文字情報を含むことを要旨とする。
【０００８】
請求項２に係るポケット型ティッシュは、請求項１に記載のポケット型ティッシュにおいて、前記コードはバーコードであることを要旨とする。
請求項３に係るポケット型ティッシュは、請求項２に記載のポケット型ティッシュにおいて、前記バーコードは２次元バーコードであることを要旨とする。
【０００９】
請求項４に係るポケット型ティッシュは、請求項１乃至請求項３のいずれか１項に記載のポケット型ティッシュにおいて、前記ポケット型ティッシュは、前記袋体に収容される広告部材を有し、前記コードは当該広告部材に付されていることを要旨とする。
【００１０】
請求項５に係るポケット型ティッシュは、請求項４に記載のポケット型ティッシュにおいて、前記袋体は内部が透視できる窓部を備え、当該袋体内に収容された広告部材が、前記窓部を介して外部から前記コードが読取可能に構成されたことを要旨とする。
【００１１】
請求項６に係るポケット型ティッシュは、請求項１乃至請求項３のいずれか１項に記載のポケット型ティッシュにおいて、前記コードは、前記袋体に付されていることを要旨とする。
【００１２】
請求項７に係るデータ取得方法は、バーコードの画像を取得するデジタルカメラ部と、当該デジタルカメラ部で取得されたバーコードの画像を信号処理して文字情報を取得する取得部とを有する携帯通信端末を備え、当該携帯通信端末によって、請求項２乃至請求項６のいずれか１項に記載のポケット型ティッシュに付された前記バーコードに記録された文字情報を前記携帯通信端末に取得することを要旨とする。
【００１３】
請求項８に係る通信方法は、請求項７に記載のデータ取得方法においてポケット型ティッシュに付された前記バーコードに記録された文字情報は、ＵＲＬ若しくはＩＰアドレスであり、前記携帯用端末はインターネット接続手段を有し、前記携帯用端末が当該データ取得方法によって当該コードが記録する文字情報を取得された後に、当該取得された文字情報に基づいて前記インターネット接続手段で前記ＵＲＬ若しくはＩＰアドレスの指示するインターネットウェブサイトへ自動的に接続されることを要旨とする。
【００１４】
請求項９に係る通信方法は、請求項８に記載の通信方法において、前記携帯通信端末が、携帯電話機であることを要旨とする。
【発明の効果】
【００１５】
本発明によれば、ＵＲＬやメールアドレス、電話番号等の文字情報を携帯用端末に容易にかつ正確に入力することができ、さらなる広告宣伝効果を高めることができる。
【発明を実施するための最良の形態】
【００１６】
以下、本発明のポケット型ティッシュ及びデータ取得方法並びに通信方法を具体化した一実施形態を図１〜図９にしたがって説明する。
図１は、本実施形態のポケット型ティッシュの全体斜視図である。図１に示すように、ポケット型ティッシュ１（以下、単に「ティッシュ」ともいう。）は、平面視略長方形形状の袋体２の中に、折り畳まれた複数枚のティッシュペーパー３が積層して収納されている。袋体２は、半透明のポリプロピレンフィルム製であって、その表面の中央部にはミシン目４が長手左右方向に亘って形成されている。また、袋体２の左右両端には、ポリプロピレンフィルムを袋状となるようにヒートシール方式によって接着した際のヒートシール部５が形成されている。本実施形態では、ティッシュ１のサイズは、縦１２０ｍｍ×横８３ｍｍ×厚み１０ｍｍとなっている。また、ティッシュペーパー３は、バージンパルプ１００パーセントの紙製で、そのサイズは１枚当り縦２００ｍｍ×横１９８ｍｍである。そして、袋体２内に収納時には、縦１０３ｍｍ×横７３ｍｍのサイズに折り畳まれて、すっぽりと袋体２内に収納されるようになっている。
【００１７】
図２は、図１のティッシュ１を裏面から見た斜視図である。図２に示すように、袋体２内のティッシュペーパー３の最も下側（図１における状態を通常とし、ミシン目４のある表面側を上とする。）には、広告部材６が収納されており、その広告部材６の表紙部（広告表示部）７が外側から半透明の袋体２を通して視認できるようになっている。なお、この半透明の袋体２の裏面が、袋体２の内部を透視可能とする窓部８に相当する。また、広告部材６は、折り畳まれたティッシュペーパー３と略同一形状となっている。
【００１８】
図３は、広告部材６の正面図である。図３に示すように、広告部材６は１枚のカードタイプの用紙であって、表紙部７には、ボックス図形の２次元バーコード９と、外部から視認されやすい着色（例えば、赤色や黒色）が施され、かつ視認容易な大きさの文字とで構成されるアイキャッチ部１０とが印刷されている。このアイキャッチ部１０は、消費者がティッシュ１を受け取った際に消費者の目をぱっと引くような効果を狙って構成されたものである。２次元バーコード９は、広告主のホームページや関連サイトのＩＰアドレス若しくはＵＲＬやメールアドレス、広告内容を示すテキストデータ等が記録されている。なお、その例としてホームページのＵＲＬが記録されているものから、以下説明する。
【００１９】
まず、２次元バーコードについて簡単に説明する。まず、１次元バーコード（ＪＡＮコード等）は現在一般的に広く利用されているコードである。単位密度当たりに記録できる情報量は少ないが、読み取りが簡単で安定しているために、ＰＯＳシステムをはじめとした商品管理に広く利用されている。これに対して２次元バーコードはその知名度は低いが、単位密度当りの記録量が大きいために、今後、利用範囲が拡大する可能性が高い。
【００２０】
２次元バーコードの種類は１次元バーコードの種類に比べて多いが、大きく分けてスタック式とマトリックス式の２種類である。スタック式バーコードは、従来の１次元バーコードを縦に細かく積み重ねたもので、マトリックス式バーコードは、情報（データ）を白黒の升目（セル）で縦横のモザイク状に表現したものである。
【００２１】
これら２次元バーコードの読み取りにはＣＣＤエリアセンサ型スキャナが用いられる。１次元バーコードと違って、２次元バーコードは平面的に読み取り、コードに角度認識が組み込まれているので、読み取りに方向性がなく、３６０度全方向の読み取りが可能となっている。２次元バーコードは、１次元バーコードの４５倍もの情報量を記録することができ、２次元バーコードのほとんどが２０００バイト前後の容量を有している。このように、２次元バーコードは小さな面積に多くのデータを記録することができ、しかも１次元バーコードと違って漢字コードも記録することができる等のメリットを有している。
【００２２】
次に、以上のように構成されるポケット型ティッシュ１の広告部材６に印刷された２次元バーコード９を携帯電話機によってデータを取得するデータ取得方法、さらに取得したデータから所望のＵＲＬへアクセスする通信方法について説明する。
【００２３】
まず、その携帯電話機の構成から説明する。図４は、携帯電話機（携帯通信端末）の外観を示す全体斜視図でであり、図５は、携帯電話機のハードウェア構成を示すブロック図である。図５に示すように、この携帯電話機２０は、無線通信部２１と、操作入力部２２と、通話処理部２３と、ＣＣＤカメラ２４と、ＣＰＵ２５と、液晶表示部２６と、記憶部２７、インターネット接続部３１とを有しており、これらの各部はバス３２により接続されている。
【００２４】
操作入力部２２は、数字や文字、操作指示などを入力するための複数の操作ボタン３３（図４参照）を有しており、これらの操作ボタン３３の操作に応じた操作信号をＣＰＵ２５に出力する。また、通話処理部２３は、例えばマイクロフォンやスピーカ、音声処理部などを有しており、ＣＰＵ２５の制御の下、呼の接続／切断を含む通話処理を行う。ＣＣＤカメラ２４は、本発明のデジタルカメラ部に相当し、例えば広告部材６に印刷された２次元バーコード９の画像を撮像する。インターネット接続部３１は、２次元バーコード９から取得したＵＲＬに基づいて所望のインターネットウェブサイトへ接続する。
【００２５】
記憶部２７は、ＲＯＭ２８と、ＲＡＭ２９と、例えばＳＲＡＭ（Ｓｔａｔｉｃ−ＲＡＭ）やＥＥＰＲＯＭ（Ｅｌｅｃｔｒｉｌｃａｌｌｙ  Ｅｒａｓａｂｌｅ  Ｐｒｏｇｒａｍｍａｂｌｅ−  ＲＯＭ）などの不揮発性メモリ３０とを有している。
【００２６】
不揮発性メモリ３０には、ＣＣＤカメラ２４により撮像された画像内から２次元バーコードを識別し、当該２次元バーコードの画像から文字情報をデコードするデコード用ソフトウェア３０ａが格納されている。
【００２７】
なお、上記構成において、ＣＰＵ２５と不揮発性メモリ３０とで、図像で表される２次元バーコード９を信号処理して文字情報を取得する取得部が構成されている。
次に、携帯電話機２０においてＣＰＵ２５により実行されるバーコード読取処理（データ取得方法）の動作について、図６にしたがって説明する。
【００２８】
まず、ＣＰＵ２５は、２次元バーコードの画像を撮像するよう消費者に促すメッセージを液晶表示部２６（図４参照）に表示する。このメッセージに応じて消費者が、２次元バーコード９の画像をＣＣＤカメラ２４を用いて撮像すると、まず、ＣＰＵ２５は、撮像された画像データを生成し（ステップＳ１０１。以下、ステップを「Ｓ」と略す。図４参照）、当該画像データを不揮発性メモリ３０に格納する（Ｓ１０２）。
【００２９】
次いで、ＣＰＵ２５は、不揮発性メモリ３０に格納されているデコード用ソフトウェア３０ａを起動して（Ｓ１０３）、撮像された画像内から２次元バーコードの画像を識別する（Ｓ１０４）。そして、ＣＰＵ２５は、識別した２次元バーコードの画像をデコードしてＵＲＬの文字情報を取得する（Ｓ１０５）。そして、デコードされたＵＲＬの文字情報を液晶表示部２６に表示する（Ｓ１０６）。この時、図７に示すように、液晶表示部２６には、デコードされたＵＲＬに基づいてインターネットへの接続を促すメッセージが併せて表示される。次に、ＣＰＵ２５は、デコードされたＵＲＬの文字情報を不揮発性メモリ３０に格納し（Ｓ１０７）、バーコード読取処理を終了する。
【００３０】
次に、ＵＲＬと併せて表示されたインターネットへの接続を促すメッセージに対して消費者が、接続を希望する選択がなされた場合、インターネット接続処理を実行する。この処理について、図８にしたがって説明する。
【００３１】
デコードされたＵＲＬの文字情報を不揮発性メモリ３０に格納（図６、Ｓ１０７）した後は、図８に示すように、携帯電話機２０をインターネットへ接続し（Ｓ１０８）、２次元バーコード９より取得されたＵＲＬからウェブページのデータをダウンロードする（Ｓ１０９）。次いで、液晶表示部にウェブページを表示する（Ｓ１１０）。以上で、インターネット接続処理を終了する。なお、上記説明では、便宜上、バーコード読取処理（図６）とインターネット接続処理（図８）をわけて説明したが、実際はバーコード読取処理からインターネット接続処理までを連続して実行するものであって、ティッシュ１を利用したバーコード読取処理とインターネット接続処理とが本発明の「通信方法」に相当する。
【００３２】
このように、ティッシュ１に添付された広告部材６の２次元バーコード９を携帯電話機のＣＣＤカメラ２４で撮像することによって、２次元バーコード９の文字情報を取得することができる。このため、消費者の文字情報入力に要する負担が大幅に軽減されることとなる。
【００３３】
また、手作業による文字入力と異なり文字情報が誤って入力されることもないため、ＵＲＬを記載した広告主にとっても、消費者に確実にホームページにアクセスしてもらうことができ、より多くの情報を提供することができる。すなわち、効率的な広告宣伝効果を奏することができるというメリットがある。
【００３４】
さらに、最近では携帯電話機の需要は非常に高く、中学生や高校生、お年寄りまで一人一台所有する時代である。そのため、各世代に対応した種々の機能を備えた携帯電話機の開発が盛んに進められている。携帯電話機の画面にクーポン券を表示してこれを店員に提示することにより割引サービスが受けられるというものもあり、広く利用されている。すなわち、携帯電話機を利用した広告やサービスの効果は非常に高い。よって、本発明のポケット型ティッシュ１においても、例えば２次元バーコード９の周辺に、携帯電話で撮像してアクセスできる旨（例えば、「バーコードを携帯で撮影して、気軽にアクセス！」等のキャッチフレーズ）を記載しておく。すると、消費者は各自の携帯電話機から２次元バーコード９を撮像することで自動的にインターネットにアクセスすること自体に関心を持つため、２次元バーコード９と携帯電話機を利用してみようと誘導させる効果がある。さらに、２次元バーコード９が袋体２の窓部８を介して外部から視認可能に設けられているため、なおさら消費者の好奇心をそそり、結果的に、多大な広告宣伝効果が達成できる。
【００３５】
なお、上記の説明では、２次元バーコード９は広告主のホームページのＵＲＬを示す文字情報を記録したものとして説明したが、その他広告主の電話番号やメールアドレス等の文字情報を記録したものであっても同様に実施することができる。この場合、バーコード読取処理における（Ｓ１０５、Ｓ１０６）「ＵＲＬ」が「メールアドレス」又は「電話番号」となる。そして、電話番号やメールアドレスを上記のバーコード読取処理（図６）にて取得し、インターネット接続処理（図８）に代えて、電話帳登録処理やメールアドレス登録処理、若しくはメールアドレスが既に記載され直接メールを作成する画面へと移行するメール作成処理等の各種処理を実施することができる。これによれば、上記と同様に、カメラで撮像した後、順次液晶表示部に表示される各種指示に従って選択・決定の操作ボタンを押下するのみで実行でき、長いメールアドレスや電話番号を１文字１文字手作業で入力する必要がなく便利である。
【００３６】
さらに、２次元バーコード９は、広告内容を直接的に示すテキストデータを記録したものであっても同様に実施できる。この場合、バーコード読取処理における（Ｓ１０５、Ｓ１０６）「ＵＲＬ」が「テキストデータ」となり、テキストデータを液晶表示部２６に表示した後（図６、Ｓ１０６参照）、その処理は終了する。その後のインターネット接続処理（図８）は実行されない。図９は、テキストデータが表示された液晶表示部２６を示す図である。図９に示すように、例えば、広告主が美容院経営者であれば、その広告内容は例えばパーマやカラーの各種メニューの料金表等を示すものとなる。この画面を携帯電話機に保存しておけば、消費者はティッシュ１に添付された広告部材６に記載された広告内容を携帯電話機のメモ機能を用いて操作ボタン３３からいちいち入力する必要もなく、また、広告部材６自体を保存しておく必要もない。よって、消費者にとって非常に有用性が高く活用しやすい広告媒体となり、ティッシュ１による広告宣伝効果を高めることができる。
【００３７】
上記実施形態によれば、以下のような効果を得ることができる。
（１）ティッシュ１に添付された広告部材６に記載される２次元バーコード９を、携帯電話機２０の操作ボタン３３を押下してＣＣＤカメラ２４で撮像することで、２次元バーコードが記憶するＵＲＬの文字情報を読み取り、自動的にインターネットへ接続することができる。このように容易な操作で文字情報を入力することができるため、手作業でＵＲＬを一文字一文字入力する必要もなく、手軽にティッシュ１に添付されたＵＲＬにアクセスして豊富なサービスを享受することができる。
【００３８】
（２）また、２次元バーコードが記録する文字情報がメールアドレスの場合でも同様に、携帯電話機２０の操作ボタン３３を押下してＣＣＤカメラ２４で撮像することで、自動的にメールアドレス登録ができるため、面倒な入力作業を一切省くことができ、消費者の負担を軽減することができる。
【００３９】
（３）２次元バーコード９は、袋体２の窓部８を介して外部から視認可能に設けられている。このため、ティッシュ１を手にした消費者の好奇心をそそり、２次元バーコードからホームページやテキストデータ等のさらなる広告への誘導を図ることができ、ティッシュ１のみで多くの情報を確実に提供して広告宣伝効果を高めることができる。
【００４０】
（４）広告部材６には、外部から視認されやすい着色が施され、かつ視認容易な大きさの文字とで構成されるアイキャッチ部１０が印刷されている。このため、アイキャッチ部１０は消費者の目にとまりやすく、アイキャッチ部１０と共に印刷されている２次元バーコードへの興味をも必然的に引きつけることができる。
【００４１】
なお、上記実施形態は以下のような別な実施形態（別例）に変更することができる。
・上記実施形態では、２次元バーコード９を撮像して広告主のホームページへインターネット接続する際に、２次元バーコード９はホームページのＵＲＬを記録しているものとしたが、ホームページを指示するＩＰアドレスを記録しているものであっても同様に実施することができる。
【００４２】
・上記実施形態では、広告部材６の表紙部７に２次元バーコード９を印刷するものとしたが、袋体２の表裏面のポリプロピレンフィルムに直接印刷しても良い。
・上記実施形態の２次元バーコード９を１次元バーコードとして構成しても良い。
【００４３】
・上記実施形態の広告部材６は、１枚のカードタイプの用紙で形成されるものとしたが、これに限定されることなく、用紙を２つ折りや４つ折り等複数折りにしたものや、複数の用紙を綴じて冊子状にしたもの等の種々の形態に変更できる。
【００４４】
・さらに、図１０に示すように、広告部材６をアンケートはがきタイプとし、２つに折り畳んで袋体に収容することもできる。
・上記実施形態では、広告部材６は袋体２の中にティッシュペーパー３と共に収容される形態としたが、図１１に示すように、袋体３４の表面に形成される外側ポケット３５に抜き差し可能に収容される形態としても良い。
【００４５】
・上記実施形態では、１つのティッシュ１に１つの２次元バーコード９が付される構成としたが、これに限定されることなく複数の２次元バーコードが付されるように構成してもよい。この場合、ティッシュ１の狭く限られた領域内で複数の広告主による広告を同時掲載することができ、また、多くの情報量を１つのティッシュ１で提供することができる。
【図面の簡単な説明】
【００４６】
【図１】本実施形態におけるポケット型ティッシュの全体斜視図。
【図２】図１のポケット型ティッシュを裏面から見た斜視図。
【図３】広告部材の全体斜視図。
【図４】携帯電話機の外観を示す全体斜視図。
【図５】携帯電話機のハードウェア構成を示すブロック図。
【図６】バーコード読取処理を示すフローチャート。
【図７】取得したＵＲＬの表示画面を示す図。
【図８】インターネット接続処理を示すフローチャート。
【図９】取得したテキストデータの表示画面を示す図。
【図１０】広告部材の別な実施形態であって、アンケートはがきタイプを示す図。
【図１１】別な実施形態におけるポケット型ティッシュの全体斜視図。
【符号の説明】
【００４７】
１…ポケット型ティッシュ（ティッシュ）、２…袋体、３…ティッシュペーパー、６…広告部材、７…表紙部（広告表示部）、８…窓部、９…２次元バーコード（バーコード、コード）、２０…携帯電話機（携帯通信端末）、２１…無線通信部、２２…操作入力部、２３…通話処理部、２４…ＣＣＤカメラ（デジタルカメラ部）、２５…ＣＰＵ（取得部）、２６…液晶表示部、２７…記憶部、２８…ＲＯＭ、２９…ＲＡＭ、３０…不揮発性メモリ（取得部）、３１…インターネット接続部（インターネット接続手段）。
【図１】
2005287953.tif 000003
【図２】
2005287953.tif 000004
【図３】
2005287953.tif 000005
【図４】
2005287953.tif 000006
【図５】
2005287953.tif 000007
【図６】
2005287953.tif 000008
【図７】
2005287953.tif 000009
【図８】
2005287953.tif 000010
【図９】
2005287953.tif 000011
【図１０】
2005287953.tif 000012
【図１１】
2005287953.tif 000013